(57)【要約】【課題】テレビ番組の視聴ができなくなった場合に、ユーザがサーバと異なる放送エリアにいる場合にも、ユーザが視聴していたテレビ番組を容易に特定することが可能であるとともに、テレビ番組のユーザが視聴することができない部分を短縮することが可能で、かつ、簡素な構成を有する携帯通信端末の放送視聴システムを提供する。【解決手段】この放送視聴システム１００（携帯通信端末の放送視聴システム）は、ＴＶ受信回路１２と、通信回路１３と、放送局情報を有する番組情報を含む録画コマンド１１０をテレビ放送電波の受信強度が低下した場合に送信するＣＰＵ１１とを含む携帯端末１０と、ＴＶ受信回路２２と、通信回路２３と、録画コマンド１１０に基づき、放送局情報により特定されるＴＶ局１０３を検索するとともに、番組情報に対応するテレビ番組を検索するＣＰＵ２１とを含むサーバ２０とを備える。【選択図】図１
2011009821.tif 000002
【特許請求の範囲】
【請求項１】
テレビ放送電波を受信する第１受信部と、インターネットに接続可能な第１通信部と、前記第１受信部により受信した前記テレビ放送電波に含まれるテレビ番組を特定する放送局情報を有する番組情報を含む録画コマンドを、前記第１受信部により受信する前記テレビ放送電波の受信強度が低下した場合に生成して、前記録画コマンドを前記第１通信部を用いて前記インターネットを介して送信する第１制御部とを含む携帯通信端末と、
前記テレビ放送電波を受信する第２受信部と、前記インターネットに接続可能な第２通信部と、前記録画コマンドに含まれる前記放送局情報を有する番組情報に基づいて、前記放送局情報により特定される放送局と同一の放送ネットワークに属し、かつ、放送エリア内に前記第２受信部が存在する所定の放送局を検索するとともに、前記所定の放送局で放送される前記番組情報に対応するテレビ番組を検索する第２制御部とを含む第１サーバとを備える、携帯通信端末の放送視聴システム。
【請求項２】
前記第１サーバは、前記テレビ放送電波に含まれるテレビ番組を録画する録画部をさらに含み、
前記第１サーバの第２制御部は、検索した前記所定の放送局から、前記番組情報に対応するテレビ番組を前記第２受信部を用いて受信するとともに、前記番組情報に対応するテレビ番組を前記録画部に録画するように構成されている、請求項１に記載の携帯通信端末の放送視聴システム。
【請求項３】
前記第１サーバは、前記テレビ放送電波に含まれるテレビ番組を少なくとも一時的に録画可能な一時記憶部をさらに含み、
前記前記第１サーバの第２制御部は、検索した前記所定の放送局から、前記番組情報に対応するテレビ番組を前記第２受信部を用いて受信するとともに、前記番組情報に対応するテレビ番組を前記一時記憶部に一時的に録画しながら、並行して、録画済みの前記番組情報に対応するテレビ番組を前記第２通信部を用いて前記携帯通信端末に送信するように構成されている、請求項１または２に記載の携帯通信端末の放送視聴システム。
【請求項４】
前記携帯通信端末の前記第１受信部は、受信中の前記テレビ放送電波の受信強度を検出可能に構成され、
前記携帯通信端末の第１制御部は、前記テレビ番組の受信中に前記テレビ放送電波の受信強度が所定の閾値以下にまで低下した場合に、前記放送局情報を有する前記番組情報を含む前記録画コマンドを、前記第１通信部を用いて前記第１サーバに対して送信するように構成されている、請求項２または３に記載の携帯通信端末の放送視聴システム。
【請求項５】
前記携帯通信端末の第１制御部は、前記第１サーバに対して前記録画コマンドを送信した後、前記番組情報に対応するテレビ番組を含む前記テレビ放送電波の受信強度が前記所定の閾値を超えた場合には、録画停止命令を含む録画停止コマンドを前記第１通信部を用いて前記第１サーバに送信し、
前記第１サーバの第２制御部は、前記録画停止コマンドに基づき、録画中の前記番組情報に対応するテレビ番組の録画を停止するように構成されている、請求項４に記載の携帯通信端末の放送視聴システム。
【請求項６】
前記携帯通信端末は、ユーザからの前記録画コマンドの送信指示を受け付ける入力キーをさらに含み、
前記携帯通信端末の第１制御部は、前記入力キーを介して前記録画コマンドの送信指示を受け付けると、前記携帯通信端末によるテレビ番組の受信強度に関わらず、前記第１通信部を用いて前記放送局情報を有する前記番組情報を含む前記録画コマンドを前記第１サーバに送信するように構成されている、請求項１〜５のいずれか１項に記載の携帯通信端末の放送視聴システム。
【請求項７】
前記第１サーバの第２制御部は、放送局およびテレビ番組を検索した結果、前記放送局情報により特定される放送局と同一の放送ネットワークに属し、かつ、放送エリア内に前記第２受信部が存在する放送局が存在しない場合、または、前記放送エリア内に前記第２受信部が存在する放送局で放送される前記番組情報に対応するテレビ番組が存在しない場合には、前記番組情報に対応するテレビ番組の送信を行うことができない旨の通知を前記第２通信部を用いて前記携帯通信端末に送信するように構成されている、請求項１〜６のいずれか１項に記載の携帯通信端末の放送視聴システム。
【請求項８】
前記第１サーバは、前記テレビ放送電波に含まれるテレビ番組を録画する録画部をさらに含み、
前記第１サーバの第２制御部は、前記放送局情報により特定される放送局と同一の放送ネットワークに属し、かつ、放送エリア内に前記第２受信部が存在する放送局による前記番組情報に対応するテレビ番組の放送時刻が、前記放送局情報により特定される放送局によって放送される前記番組情報により特定されるテレビ番組の放送時刻よりも遅い場合に、放送時刻が遅い前記テレビ番組の前記録画部による録画を予約するように構成されている、請求項１〜７のいずれか１項に記載の携帯通信端末の放送視聴システム。
【請求項９】
前記テレビ放送電波を受信する第３受信部と、前記インターネットに接続可能な第３通信部と、前記録画コマンドに含まれる前記放送局情報を有する番組情報に基づいて、前記放送局情報により特定される放送局と同一の放送ネットワークに属し、かつ、放送エリア内に前記第３受信部が存在する所定の放送局を検索するとともに、前記所定の放送局で放送される前記番組情報に対応するテレビ番組を検索する第３制御部とを含む第２サーバをさらに備え、
前記第１サーバの第２制御部は、前記放送局情報により特定される放送局と同一の放送ネットワークに属し、かつ、放送エリア内に前記第２受信部が存在する放送局が存在しない場合、または、前記放送エリア内に前記第２受信部が存在する放送局で放送される前記番組情報に対応するテレビ番組が存在しない場合に、前記第２サーバと前記放送エリア内に前記第２サーバが存在する放送局とを対応付けたリストに基づき、前記放送局情報により特定される放送局の放送エリア内に存在する前記第２サーバを検索し、前記第２通信部を用いて、検索された前記放送局情報により特定される放送局の放送エリア内に存在する前記第２サーバに対して前記録画コマンドを送信するように構成されている、請求項１〜８のいずれか１項に記載の携帯通信端末の放送視聴システム。
【請求項１０】
テレビ放送電波を受信する受信部と、
インターネットに接続可能な通信部と、
前記受信部により受信した前記テレビ放送電波に含まれるテレビ番組を特定する放送局情報を有する番組情報を含む録画コマンドを、前記受信部により受信する前記テレビ放送電波の受信強度が低下した場合に生成して、前記録画コマンドを前記通信部を用いて前記インターネットを介してサーバに送信する制御部とを備える、携帯通信端末。
【発明の詳細な説明】
【技術分野】
【０００１】
この発明は、携帯通信端末の放送視聴システムおよび携帯通信端末に関し、特に、テレビ放送電波を受信してテレビ番組を視聴することが可能な携帯通信端末の放送視聴システムおよび携帯通信端末に関する。
【背景技術】
【０００２】
従来、テレビ放送電波を受信してテレビ番組を視聴することが可能な携帯通信端末の放送視聴システムが知られている（たとえば、特許文献１〜５参照）。
【０００３】
上記特許文献１には、テレビ番組を出力するモバイルＡＶ装置とテレビ番組を録画するホームサーバ装置とを備える遠隔録画システムが開示されている。モバイルＡＶ装置は、受信中のテレビ番組の放送電波の強度が所定の値を下回った時に、ホームサーバ装置に対して、番組特定情報を含む録画指示を送信するように構成されている。ホームサーバ装置は、録画指示に含まれる番組特定情報により特定される番組を録画部に録画するように構成されている。ここで、番組特定情報とは、番組のタイトル、チャンネルおよび放送開始時刻などである。また、モバイルＡＶ装置を携行しているユーザがホームサーバ装置と異なる放送エリアにいる場合には、ユーザが現在視聴中の番組とホームサーバ装置により録画される番組とで放送時間帯やチャンネルが異なる場合がある。この場合には、ホームサーバ装置は、録画指示に含まれる番組特定情報としての番組のタイトルと一致するタイトルを、番組関連情報（放送データに含まれているテレビ番組に関する情報であり、たとえばＥＰＧ（Ｅｌｅｃｔｒｉｃ  Ｐｒｏｇｒａｍ  Ｇｕｉｄｅ））から特定することにより録画を行うように構成されている。これにより、上記特許文献１による遠隔録画システムでは、モバイルＡＶ装置による視聴中のテレビ番組の視聴継続が困難になった場合にも、ホームサーバ装置にそのテレビ番組を録画させることが可能である。
【０００４】
また、上記特許文献２には、テレビ放送を受信可能な移動通信装置と、テレビ放送番組を記録するための記録サーバとを備えたテレビ放送番組記録システムが開示されている。移動通信装置は、記録サーバに対して、インターネットを介して記録命令および再生命令を送信する。記録サーバは、記録命令に基づいてテレビ放送番組を受信および記録するとともに、再生命令に基づいて、記録したテレビ放送番組を移動通信装置にインターネットを介して送信するように構成されている。なお、上記特許文献２では、記録命令の具体的な内容や、記録するテレビ放送番組の特定方法については開示されていない。
【０００５】
また、上記特許文献３には、テレビ放送を受信可能な携帯電話装置と、携帯電話装置と通信回線を介して接続される番組録画サービスセンターとを備えたＴＶ番組録画サービスシステムが開示されている。番組録画サービスセンターは、番組録画サービスセンターが設けられている地域（放送エリア）で放送されている全てのテレビ放送の全てのテレビ番組を録画するように構成されている。携帯電話装置は、視聴中のＴＶ番組のチャンネル、番組データや時刻情報を含む送信依頼を番組録画サービスセンターに対して電話回線を通じて発信する。番組録画サービスセンターは、送信依頼を受け付けると、依頼されたＴＶ番組の録画データを携帯電話装置に対してインターネットを介して送信するように構成されている。なお、上記特許文献３では、送信依頼に含まれる番組データの具体的な内容については開示されていない。
【０００６】
また、上記特許文献４には、携帯端末装置と、テレビ放送の受信および録画が可能な複数の録画装置と、携帯端末装置からの録画要求を受け付けるとともに、録画装置の動作を管理する管理サーバとを備えた放送番組記録システムが開示されている。携帯端末装置と、各録画装置と、管理サーバとは、それぞれネットワークに接続可能であり、互いに情報の送受信を行うことが可能に構成されている。携帯端末装置は、ネットワークを介して管理サーバから番組の一覧表を取得して、ユーザによる録画予約の入力を受け付ける。携帯端末装置は、ユーザによる録画予約が入力されると、管理サーバに対して、放送番組を放送する放送局を特定する放送局情報と、その放送番組を特定する番組情報と、録画の開始および終了時間に関する情報と録画予約の指令情報とを含む要求情報を送信する。管理サーバは、複数の録画装置がそれぞれ受信可能な放送局のテーブルを記憶している。管理サーバは、要求情報を受信すると、番組情報により特定される放送番組を録画可能な録画装置を選択し、ネットワークを介して選択された録画装置に記録指令を送信する。記録指令を受信した録画装置は、記録指令に基づいて、番組情報により特定される放送番組を受信して録画する。録画が終了すると、録画された番組が録画装置から管理サーバに送信され、さらに録画された番組が管理サーバから携帯端末装置に転送される。これにより、要求情報に基づいて録画予約された放送番組が携帯端末装置によって視聴可能となるように構成されている。なお、上記特許文献４による放送番組記録システムの携帯端末装置にはテレビ放送電波の受信機能がない。
【０００７】
また、上記特許文献５には、携帯通信端末と、録画再生装置とを備えた、番組録画サービスシステムが開示されている。携帯通信端末と録画再生装置とは、無線通信（赤外線やＢｌｕｅｔｏｏｔｈ（登録商標）など）により相互に通信することが可能なように構成されている。携帯通信端末は、ＥＰＧに基づいて入力される録画予約スケジュールデータベースを記憶している。携帯通信端末は、録画予約スケジュールに基づき、予約時間が到来すると、無線通信の可能な範囲内の録画再生装置を探索する。そして、録画再生装置からの応答が得られた場合には、携帯通信端末は、応答のあった録画再生装置に対してＥＰＧに基づく録画予約を送信するように構成されている。
【先行技術文献】
【特許文献】
【０００８】
【特許文献１】特開２００６−７４３８５号公報
【特許文献２】特開２００４−１１２０７６号公報
【特許文献３】特開２００５−５７４７５号公報
【特許文献４】特開２００５−２０９３１３号公報
【特許文献５】特開２００７−８１６０９号公報
【発明の概要】
【発明が解決しようとする課題】
【０００９】
しかしながら、上記特許文献１に開示された遠隔録画システムでは、モバイルＡＶ装置を携行しているユーザがホームサーバ装置と異なる放送エリアにいる場合には、ユーザが視聴中の番組とホームサーバ装置により受信される番組とで放送時間帯やチャンネルが異なることを考慮して、ユーザが視聴していた番組のタイトルのみに基づいて、ホームサーバ装置の設置された放送エリアにおいて放送される番組（ユーザが視聴していた番組）をＥＰＧから特定している。このため、ユーザが視聴していた番組を特定するためには、ホームサーバ装置が受信可能な全ての放送局で放送される全ての番組についてＥＰＧを参照しながら順次タイトルの照合を行わなければならないので、ユーザが視聴していた番組を特定するのに時間がかかると考えられる。これにより、ユーザが視聴不能になってから録画が開始されるまでの間の録画できない期間が長くなってしまうので、テレビ番組の視聴ができなくなった時に、ユーザがホームサーバ装置と異なる放送エリアにいる場合に、ユーザが視聴していたテレビ番組のうちのユーザが視聴することができない部分が長くなってしまうという問題点がある。
【００１０】
また、上記特許文献２に開示されたテレビ放送番組記録システムでは、テレビ番組の視聴ができなくなった時に、ユーザが記録サーバと異なる放送エリアにいる場合には、ユーザが視聴中の番組と記録サーバにより受信される番組とで放送時間帯やチャンネルが異なるので、記録命令だけではユーザが視聴していた番組を記録サーバが特定するのが困難であるという問題点がある。
【００１１】
また、上記特許文献３に開示されたＴＶ番組録画サービスシステムでは、番組録画サービスセンターが設けられている地域で放送されている全てのテレビ放送の全てのテレビ番組を録画する必要があるので、テレビ番組を記録するための記録装置に大容量のものを用いるとともに、録画を行う各チャンネル毎に受信用のチューナを設ける必要がある。その結果、システムが大掛かりになってしまうという問題点がある。
【００１２】
また、上記特許文献４に開示された放送番組記録システムでは、携帯端末装置にテレビ受信機能がないので、携帯端末装置によりテレビ放送を受信してテレビ番組を視聴すること自体が開示も示唆もされていない。したがって、携帯端末装置によりテレビ放送を受信してテレビ番組を視聴することを前提とする本発明とは、前提とする技術が異なる。
【００１３】
また、上記特許文献５に開示された番組録画サービスシステムでは、ＥＰＧに基づいて入力される録画予約スケジュールに基づいて、無線通信の可能な範囲内の録画再生装置に録画予約を送信することが可能な一方、テレビ番組の視聴ができなくなった場合にユーザによる視聴を可能とする構成については、開示も示唆もされていない。
【００１４】
この発明は、上記のような課題を解決するためになされたものであり、この発明の１つの目的は、テレビ番組の視聴ができなくなった場合に、ユーザがサーバと異なる放送エリアにいる場合にも、ユーザが視聴していたテレビ番組を容易に特定することが可能であるとともに、テレビ番組のユーザが視聴することができない部分を短縮することが可能で、かつ、簡素な構成を有する携帯通信端末の放送視聴システムおよび携帯通信端末を提供することである。
【課題を解決するための手段および発明の効果】
【００１５】
この発明の第１の局面による携帯通信端末の放送視聴システムは、テレビ放送電波を受信する第１受信部と、インターネットに接続可能な第１通信部と、第１受信部により受信したテレビ放送電波に含まれるテレビ番組を特定する放送局情報を有する番組情報を含む録画コマンドを、第１受信部により受信するテレビ放送電波の受信強度が低下した場合に生成して、録画コマンドを第１通信部を用いてインターネットを介して送信する第１制御部とを含む携帯通信端末と、テレビ放送電波を受信する第２受信部と、インターネットに接続可能な第２通信部と、録画コマンドに含まれる放送局情報を有する番組情報に基づいて、放送局情報により特定される放送局と同一の放送ネットワークに属し、かつ、放送エリア内に第２受信部が存在する所定の放送局を検索するとともに、所定の放送局で放送される番組情報に対応するテレビ番組を検索する第２制御部とを含む第１サーバとを備える。ここで、本発明における「録画」とは、記憶媒体へテレビ番組のデータを記録することをいい、テレビ番組のデータを一時的にのみ記憶媒体へ記録する場合も含む広い概念である。
【００１６】
この発明の第１の局面による携帯通信端末の放送視聴システムでは、上記のように、携帯通信端末が、テレビ放送電波の受信強度が低下した場合に、テレビ番組を特定する放送局情報を有する番組情報を含む録画コマンドを送信し、第１サーバが、録画コマンドに含まれる放送局情報を有する番組情報に基づいて、放送局情報により特定される放送局と同一の放送ネットワークに属し、かつ、放送エリア内に第２受信部が存在する所定の放送局を検索するとともに、所定の放送局で放送される番組情報に対応するテレビ番組を検索する。このように構成することによって、ユーザが第１サーバと異なる放送エリアにいる場合にも、放送局情報を有する番組情報を用いて、ユーザが視聴していたテレビ番組の放送局と同一の放送ネットワークに属し、かつ、第１サーバによって受信可能な放送局を容易かつ迅速に特定し、特定された放送局によって放送される番組の中から番組情報に対応するテレビ番組を番組情報により容易かつ迅速に特定することができる。これにより、ユーザが第１サーバと異なる放送エリアにいる場合にも、容易かつ迅速に、ユーザが視聴していた番組（番組情報に対応するテレビ番組）を第１サーバが特定して、ユーザの視聴ができなくなった直後からそのテレビ番組のデータを第１サーバが取得して録画等を行うことができる。これにより、ユーザが第１サーバと異なる放送エリアにいる場合にも、テレビ番組の視聴ができなくなった時に、テレビ番組のユーザが視聴することができない部分を短縮することができる。また、ユーザが視聴していたテレビ番組のデータだけを第１サーバが記憶すればよいので、第１サーバの記憶容量を小さくすることができる。その結果、第２受信部を複数設ける必要もないので、システムを簡素化することができる。
【００１７】
上記第１の局面による携帯通信端末の放送視聴システムにおいて、好ましくは、第１サーバは、テレビ放送電波に含まれるテレビ番組を録画する録画部をさらに含み、第１サーバの第２制御部は、検索した所定の放送局から、番組情報に対応するテレビ番組を第２受信部を用いて受信するとともに、番組情報に対応するテレビ番組を録画部に録画するように構成されている。このように構成すれば、テレビ放送電波の受信強度が低下してテレビ番組を視聴できなくなった場合に、視聴していたテレビ番組の続きが第１サーバに録画される。これにより、ユーザは、テレビ番組を視聴できなくなった場合にも、録画部に録画されたテレビ番組のデータにより、視聴していたテレビ番組の見逃した部分を録画終了後に継続して視聴することができる。
【００１８】
上記第１の局面による携帯通信端末の放送視聴システムにおいて、好ましくは、第１サーバは、テレビ放送電波に含まれるテレビ番組を少なくとも一時的に録画可能な一時記憶部をさらに含み、第１サーバの第２制御部は、検索した所定の放送局から、番組情報に対応するテレビ番組を第２受信部を用いて受信するとともに、番組情報に対応するテレビ番組を一時記憶部に一時的に録画しながら、並行して、録画済みの番組情報に対応するテレビ番組を第２通信部を用いて携帯通信端末に送信するように構成されている。このように構成すれば、テレビ放送電波の受信強度が低下してテレビ番組を視聴できなくなった場合に、第１サーバが録画コマンドを受信すれば、ユーザが視聴していたテレビ番組の続きを一時的に録画しながら、並行して、携帯通信端末に送信することができる。これにより、携帯通信端末において、いわゆるストリーミング再生を行うことができるので、ユーザは、テレビ番組を視聴できなくなった場合にも、ストリーミング再生によってそのまま番組の視聴を継続することができる。
【００１９】
上記第１サーバが録画部または一時記憶部を含む構成において、好ましくは、携帯通信端末の第１受信部は、受信中のテレビ放送電波の受信強度を検出可能に構成され、携帯通信端末の第１制御部は、テレビ番組の受信中にテレビ放送電波の受信強度が所定の閾値以下にまで低下した場合に、放送局情報を有する番組情報を含む録画コマンドを、第１通信部を用いて第１サーバに対して送信するように構成されている。このように構成すれば、テレビ番組の受信中にテレビ放送電波の受信強度が所定の閾値以下になった場合に、自動的に録画コマンドを第１サーバに送信することができる。これにより、テレビ放送電波の受信強度が低下してテレビ番組の視聴ができなくなった場合には、第１サーバの録画部または一時記憶部によりデータを録画することができる。そして、第１サーバから番組の録画データまたはストリーミングデータを受信することにより、ユーザが特別な操作を行うことなくテレビ番組の視聴を継続することができる。
【００２０】
この場合において、好ましくは、携帯通信端末の第１制御部は、第１サーバに対して録画コマンドを送信した後、番組情報に対応するテレビ番組を含むテレビ放送電波の受信強度が所定の閾値を超えた場合には、録画停止命令を含む録画停止コマンドを第１通信部を用いて第１サーバに送信し、第１サーバの第２制御部は、録画停止コマンドに基づき、録画中の番組情報に対応するテレビ番組の録画を停止するように構成されている。このように構成すれば、テレビ番組の視聴ができなくなってから、テレビ放送電波の受信強度が閾値を超えて視聴可能な状態に復帰した場合には、録画（またはストリーミング）中の第１サーバに録画停止コマンドを送信することによって、テレビ番組の視聴できなかった部分のみを録画（またはストリーミング）させることができる。
【００２１】
上記第１の局面による携帯通信端末の放送視聴システムにおいて、携帯通信端末は、ユーザからの録画コマンドの送信指示を受け付ける入力キーをさらに含み、携帯通信端末の第１制御部は、入力キーを介して録画コマンドの送信指示を受け付けると、携帯通信端末によるテレビ番組の受信強度に関わらず、第１通信部を用いて放送局情報を有する番組情報を含む録画コマンドを第１サーバに送信するように構成されている。このように構成すれば、テレビ番組の視聴ができなくなった場合だけでなく、テレビ番組の視聴はできるがユーザが後で再度テレビ番組を視聴したい場合などにも、入力キーを用いて録画コマンドを第１サーバに送信させることによって、ユーザが視聴していたテレビ番組を第１サーバに録画させることができる。
【００２２】
上記第１の局面による携帯通信端末の放送視聴システムにおいて、好ましくは、第１サーバの第２制御部は、放送局およびテレビ番組を検索した結果、放送局情報により特定される放送局と同一の放送ネットワークに属し、かつ、放送エリア内に第２受信部が存在する放送局が存在しない場合、または、放送エリア内に第２受信部が存在する放送局で放送される番組情報に対応するテレビ番組が存在しない場合には、番組情報に対応するテレビ番組の送信を行うことができない旨の通知を第２通信部を用いて携帯通信端末に送信するように構成されている。このように構成すれば、テレビ番組の視聴ができなくなった場合に、ユーザは、テレビ番組の送信を行うことができない旨の通知により、第１サーバから視聴していたテレビ番組を受信することができるか否かを把握することができる。この場合には、テレビ番組の送信を行うことができない旨の通知を受けたユーザは、放送電波の受信可能な場所に移動するなどにより、テレビ番組の視聴の継続を試みることもできる。
【００２３】
上記第１の局面による携帯通信端末の放送視聴システムにおいて、好ましくは、第１サーバは、テレビ放送電波に含まれるテレビ番組を録画する録画部をさらに含み、第１サーバの第２制御部は、放送局情報により特定される放送局と同一の放送ネットワークに属し、かつ、放送エリア内に第２受信部が存在する放送局による番組情報に対応するテレビ番組の放送時刻が、放送局情報により特定される放送局によって放送される番組情報により特定されるテレビ番組の放送時刻よりも遅い場合に、放送時刻が遅いテレビ番組の録画部による録画を予約するように構成されている。このように構成すれば、第１サーバの存在する放送エリアでの番組情報に対応するテレビ番組の放送時刻が遅い場合には、録画部への録画を予約することによってユーザは、テレビ番組の視聴ができなくなった場合にも見逃したテレビ番組を後から見直すことができる。
【００２４】
上記第１の局面による携帯通信端末の放送視聴システムにおいて、好ましくは、テレビ放送電波を受信する第３受信部と、インターネットに接続可能な第３通信部と、録画コマンドに含まれる放送局情報を有する番組情報に基づいて、放送局情報により特定される放送局と同一の放送ネットワークに属し、かつ、放送エリア内に第３受信部が存在する所定の放送局を検索するとともに、所定の放送局で放送される番組情報に対応するテレビ番組を検索する第３制御部とを含む第２サーバをさらに備え、第１サーバの第２制御部は、放送局情報により特定される放送局と同一の放送ネットワークに属し、かつ、放送エリア内に第２受信部が存在する放送局が存在しない場合、または、放送エリア内に第２受信部が存在する放送局で放送される番組情報に対応するテレビ番組が存在しない場合に、第２サーバと放送エリア内に第２サーバが存在する放送局とを対応付けたリストに基づき、放送局情報により特定される放送局の放送エリア内に存在する第２サーバを検索し、第２通信部を用いて、検索された放送局情報により特定される放送局の放送エリア内に存在する第２サーバに対して録画コマンドを送信するように構成されている。このように構成すれば、ユーザが視聴していた番組が、第１サーバの存在する放送エリアでは放送されない番組（いわゆるローカル番組）であった場合にも、放送局情報により特定される放送局（携帯通信端末が受信していた番組を放送する放送局）の放送エリア内に存在する第２サーバに対して録画コマンドを送信することができる。これにより、第１サーバの放送エリアでは放送されない番組の視聴中に、テレビ番組の視聴ができなくなった場合にも、第２サーバにテレビ番組の録画等をさせることができる。
【００２５】
この発明の第２の局面による携帯通信端末は、テレビ放送電波を受信する受信部と、インターネットに接続可能な通信部と、受信部により受信したテレビ放送電波に含まれるテレビ番組を特定する放送局情報を有する番組情報を含む録画コマンドを、受信部により受信するテレビ放送電波の受信強度が低下した場合に生成して、録画コマンドを通信部を用いてインターネットを介してサーバに送信する制御部とを備える。
【００２６】
この発明の第２の局面による携帯通信端末では、上記のように、制御部が、テレビ放送電波に含まれるテレビ番組を特定する放送局情報を有する番組情報を含む録画コマンドを、受信部により受信するテレビ放送電波の受信強度が低下した場合に生成して、録画コマンドを通信部を用いてインターネットを介してサーバに送信することによって、サーバは、ユーザがサーバと異なる放送エリアにいる場合にも、放送局情報を有する番組情報を用いて、ユーザが視聴していたテレビ番組の放送局と同一の放送ネットワークに属し、かつ、サーバによって受信可能な放送局を放送局情報により容易かつ迅速に特定し、特定された放送局によって放送される番組の中から番組情報に対応するテレビ番組を番組情報により容易かつ迅速に特定することができる。これにより、ユーザがサーバと異なる放送エリアにいる場合にも、容易かつ迅速に、ユーザが視聴していた番組（番組情報に対応するテレビ番組）をサーバが特定して、視聴ができなくなった直後からそのテレビ番組のデータをサーバが取得して録画等を行うことができる。これにより、ユーザがサーバと異なる放送エリアにいる場合に、テレビ番組のユーザが視聴することができない部分を短縮することができる。また、ユーザが視聴していたテレビ番組のデータだけをサーバに記憶させればよいので、サーバの記憶容量を小さくすることができる。その結果、複数の番組を同時に受信可能に構成する必要もないので、システムを簡素化することができる。
【図面の簡単な説明】
【００２７】
【図１】本発明の第１実施形態による放送視聴システムの全体構成を示した図である。
【図２】図１に示した携帯端末を説明するためのブロック図である。
【図３】図１に示したサーバを説明するためのブロック図である。
【図４】本発明の第１実施形態による放送視聴システムの動作を説明するためのフロー図である。
【図５】本発明の第２実施形態による放送視聴システムの全体構成を示した図である。
【図６】図５に示したメインサーバを説明するためのブロック図である。
【図７】図５に示したサーバを説明するためのブロック図である。
【図８】本発明の第２実施形態による放送視聴システムの携帯端末の動作を説明するためのフロー図である。
【図９】本発明の第２実施形態による放送視聴システムのメインサーバの動作を説明するためのフロー図である。
【図１０】本発明の第２実施形態による放送視聴システムのサーバの動作を説明するためのフロー図である。
【図１１】本発明の第３実施形態による放送視聴システムの動作を説明するためのフロー図である。
【図１２】本発明の第４実施形態による放送視聴システムの動作を説明するためのフロー図である。
【発明を実施するための形態】
【００２８】
以下、本発明の実施形態を図面に基づいて説明する。
【００２９】
（第１実施形態）
まず、図１〜図３を参照して、本発明の第１実施形態による放送視聴システム１００の構成について説明する。なお、第１実施形態では、本発明の「携帯通信端末の放送視聴システム」の一例である放送視聴システム１００に本発明を適用した場合について説明する。
【００３０】
本発明の第１実施形態による放送視聴システム１００は、図１に示すように、携帯端末１０と、サーバ２０とを備える。携帯端末１０とサーバ２０とは、携帯基地局１０１とインターネット１０２とを介することにより、互いに通信することが可能なように構成されている。なお、携帯端末１０およびサーバ２０は、それぞれ、本発明の「携帯通信端末」および「第１サーバ」の一例である。
【００３１】
第１実施形態では、携帯端末１０は、携帯端末向けデジタル放送（いわゆるワンセグ）などのテレビ放送を視聴可能な携帯電話端末からなる。また、サーバ２０は、たとえば、携帯端末１０のユーザの自宅に設置されたＰＣ（Ｐｅｒｓｏｎａｌ  Ｃｏｍｐｕｔｅｒ）などからなる。図１に示すように、携帯端末１０（携帯端末１０を携行するユーザ）は、ＴＶ局１０３ａの放送エリア内にあり、ＴＶ局１０３ａのテレビ放送電波を受信することが可能である。一方、サーバ２０は、ＴＶ局１０３ａとは異なるＴＶ局１０３ｃの放送エリア内に設置され、ＴＶ局１０３ｃの放送電波を受信することが可能である。ＴＶ局１０３ａおよび１０３ｃは、いずれもキー局１０４の放送ネットワークに所属する放送局である。キー局１０４の放送ネットワークは、各ＴＶ局１０３（ＴＶ局１０３ａ、１０３ｂおよび１０３ｃ）を含んでいる。なお、ＴＶ局１０３（ＴＶ局１０３ａ、１０３ｂおよび１０３ｃ）と、キー局１０４とは、それぞれ、本発明の「放送局」の一例である。
【００３２】
図２に示すように、携帯端末１０は、ＣＰＵ（Ｃｅｎｔｒａｌ  Ｐｒｏｃｅｓｓｉｎｇ  Ｕｎｉｔ）１１と、ＴＶ受信回路１２およびアンテナ（テレビ放送用）１２ａと、通信回路１３およびアンテナ（無線通信・通話用）１３ａと、表示器駆動回路１４および液晶パネルなどの表示器１４ａとを備える。また、携帯端末１０は、ＲＡＭ１５と、ＲＯＭ１６と、フラッシュメモリ１７と、音声処理回路１８と、スピーカ１８ａおよびマイク１８ｂと、入力キー１９とを備える。なお、ＣＰＵ１１は、本発明の「第１制御部」および「制御部」の一例である。また、ＴＶ受信回路１２は、本発明の「第１受信部」および「受信部」の一例である。また、通信回路１３は、本発明の「第１通信部」および「通信部」の一例である。
【００３３】
ＣＰＵ１１は、ＲＯＭ１６に記憶されたプログラムに基づき、ＲＡＭ１５を作業領域として用いて各種演算処理を行うことにより、携帯端末１０全体の制御を行うように構成されている。また、ＣＰＵ１１は、ＴＶ受信回路１２、表示器駆動回路１４および音声処理回路１８を用いて、ユーザによるテレビ番組の視聴に関わる制御を行うように構成されている。また、ＣＰＵ１１は、通信回路１３、表示器駆動回路１４および音声処理回路１８を用いて、音声通話やインターネット１０２への接続に伴う制御を行うように構成されている。
【００３４】
また、第１実施形態では、ＣＰＵ１１は、ユーザがテレビ番組の視聴を行うと、受信したテレビ番組を特定する番組情報を取得するように構成されている。ここで、番組情報は、たとえば番組名（タイトル）や番組コードなどの番組固有情報を有する。また、番組情報は、番組固有情報に加えて、受信したテレビ番組を放送するＴＶ局１０３またはキー局１０４を特定する放送局情報を有する。また、放送局情報は、ＴＶ局名（「ＸＸ放送」など）、ＴＶ局の略号（「ＡＢＸ」など）または呼出符号（「ＪＯＺＺ−ＤＴＶ」など）などである。また、放送局情報として、各ＴＶ局を個別に識別可能な専用のコードを割り当ててもよい。このような放送局情報を有する番組情報は、映像データおよび音声データからなるテレビ番組自体のデータに付随して、受信中の放送電波（デジタル放送信号）から取得することが可能なように構成されている。
【００３５】
また、図１に示すように、ＣＰＵ１１は、受信中の放送電波の電波強度（受信強度）が所定の閾値以下となる状態が所定時間継続すると、この番組固有情報と放送局情報とを有する番組情報を含む録画コマンド１１０を、通信回路１３を用いてインターネット１０２を介してサーバ２０に送信するように構成されている。なお、所定の閾値とは、テレビ番組を良好に視聴することが可能な電波強度である。後述するように、携帯端末１０は、この録画コマンド１１０をサーバ２０に送信することにより、サーバ２０から、番組情報により特定されるテレビ番組の録画データ１２０を取得することができるように構成されている。これにより、たとえば携帯端末１０を携行するユーザの移動に起因して電波強度が低下し、受信中のテレビ番組の視聴が中断された場合にも、そのテレビ番組の録画データ１２０をサーバ２０から取得して、見逃したテレビ番組を視聴することが可能となる。
【００３６】
図２に示すように、ＴＶ受信回路１２は、選局、復調およびデコードなどを行うことにより、アンテナ１２ａにより受信した放送電波からテレビ番組の映像データ、音声データ、および、番組固有情報および放送局情報を有する番組情報などの各種データを取り出す機能を有する。また、ＴＶ受信回路１２は、受信中の放送電波の電波強度（受信強度）を検出する機能を有する。ＴＶ受信回路１２により検出された電波強度に基づき、ＣＰＵ１１による録画コマンド１１０の送信が行われるように構成されている。
【００３７】
通信回路１３は、アンテナ１３ａを介して通信用電波の送受信を行う機能を有する。通信回路１３は、携帯基地局１０１を介して携帯電話網およびインターネット１０２への無線通信接続を行うことができるように構成されている。これにより、携帯端末１０は、他の通信端末との電話回線を用いた通話を行うとともに、インターネット１０２を介してデータの送受信を行うことが可能である。この通信回路１３を用いて、ＣＰＵ１１は、サーバ２０に録画コマンド１１０を送信するとともに、サーバ２０からテレビ番組の録画データ１２０を受信することが可能なように構成されている。
【００３８】
表示器駆動回路１４は、ＣＰＵ１１からの制御信号に基づき、ＣＰＵ１１およびＴＶ受信回路１２より出力される画像および映像情報を表示器１４ａに表示させる機能を有する。
【００３９】
ＲＡＭ１５は、ＣＰＵ１１による制御に伴い生成される一時データや、受信中のテレビ番組の番組固有情報および放送局情報を有する番組情報などを書き換え可能に記憶する機能を有する。また、ＲＯＭ１６には、録画コマンド１１０の生成など、ＣＰＵ１１による各種の機能を実現させるためのプログラムなどが記憶されている。
【００４０】
フラッシュメモリ１７は、不揮発性メモリからなり、サーバ２０から送信されたテレビ番組の録画データ１２０などのデータがフラッシュメモリ１７に格納されるように構成されている。録画データ１２０の再生時には、ＣＰＵ１１により録画データ１２０がフラッシュメモリ１７から読み出されて、表示器駆動回路１４および音声処理回路１８に出力される。また、フラッシュメモリ１７には、録画コマンド１１０の宛先情報（たとえば、サーバ２０のＩＰアドレスなど）が予めユーザにより記憶されており、録画コマンド１１０は、この宛先情報に基づいて送信される。
【００４１】
音声処理回路１８は、テレビ番組の音声データや、通話時の音声データなどをスピーカ１８ａから出力するとともに、マイク１８ｂから入力される音声信号をＣＰＵ１１に出力する機能を有する。
【００４２】
入力キー１９は、０〜９までのテンキー、メニューキーやその他の機能キーなどを含む。入力キー１９は、ユーザが携帯端末１０の操作を行うための入力情報をＣＰＵ１１へ出力する機能を有する。第１実施形態では、この入力キー１９を介して、ＣＰＵ１１がユーザからの録画コマンド１１０の送信指示を受け付けることが可能なように構成されている。ユーザからの録画コマンド１１０の送信指示を受け付けた場合には、ＣＰＵ１１は、テレビ番組の放送電波の電波強度に関わらず、録画コマンド１１０をサーバ２０に送信するように構成されている。
【００４３】
サーバ２０は、図３に示すように、表示装置２９と、キーボード２８などの入力装置を備えたＰＣである。サーバ２０は、ＣＰＵ２１と、ＴＶ受信回路２２およびアンテナ２２ａと、通信回路２３と、表示器駆動回路２４と、ＲＡＭ２５と、ＲＯＭ２６と、ＨＤＤ（ハードディスクドライブ）２７とを備えている。なお、ＣＰＵ２１は、本発明の「第２制御部」の一例である。また、ＴＶ受信回路２２および通信回路２３は、それぞれ、本発明の「第２受信部」および「第２通信部」の一例である。また、ＨＤＤ２７は、本発明の「録画部」の一例である。
【００４４】
ＣＰＵ２１は、ＲＯＭ２６に記憶されたプログラムに基づき、ＲＡＭ２５を作業領域として用いて各種演算処理を行うことにより、サーバ２０全体の制御を行うように構成されている。また、ＣＰＵ２１は、通信回路２３を用いて、インターネット１０２を介して携帯端末１０から送信される録画コマンド１１０を取得する。そして、ＣＰＵ２１は、携帯端末１０から送信された録画コマンド１１０に基づいて、ＴＶ受信回路２２を用いてテレビ番組を受信するとともに、受信したテレビ番組（録画データ１２０）をＨＤＤ２７に録画するように構成されている。
【００４５】
具体的には、ＣＰＵ２１は、録画コマンド１１０に含まれる放送局情報に基づき、携帯端末１０が受信していたテレビ番組を放送するＴＶ局１０３ａと同一の放送ネットワーク（キー局１０４の放送ネットワーク）に属し、かつ、放送エリア内にサーバ２０（ＴＶ受信回路２２）が存在するＴＶ局１０３ｃを検索するように構成されている。詳細には、ＣＰＵ２１は、放送局情報に基づいて、携帯端末１０が受信していたＴＶ局１０３ａを特定し、ＲＯＭ１６から後述する放送ネットワーク情報２６ａを取得して、ＴＶ局１０３ａが所属する放送ネットワークのキー局１０４を検索する。そして、放送ネットワーク情報２６ａから、キー局１０４の放送ネットワークにおいて、サーバ２０（ＴＶ受信回路２２）の設置場所（たとえば、ユーザの自宅）を放送エリア内に含むＴＶ局１０３ｃ（キー局１０４の系列局）を検索するように構成されている。これにより、ユーザが携帯端末１０により視聴していたテレビ番組を放送する可能性のあるＴＶ局１０３ｃが特定される。この際、放送ネットワーク情報２６ａに基づき、ＴＶ局１０３ｃのチャンネルも取得される。
【００４６】
そして、ＣＰＵ２１は、録画コマンド１１０に含まれる番組固有情報に基づいて、放送局情報により特定されたＴＶ局１０３ｃで放送される番組の中から、番組固有情報に対応するテレビ番組を検索するように構成されている。この際、ＴＶ局１０３ｃが放送する放送電波から取得されるＥＰＧなどの番組表と、番組情報が有する番組固有情報とに基づいて、番組固有情報に対応するテレビ番組が特定される。これにより、ＣＰＵ２１は、携帯端末１０がＴＶ局１０３ａから受信して視聴していたテレビ番組（番組情報により特定されるテレビ番組）を特定して、放送エリア内にサーバ２０（ＴＶ受信回路２２）が存在するＴＶ局１０３ｃからその番組をＴＶ受信回路２２を用いて受信することが可能なように構成されている。
【００４７】
また、第１実施形態では、ＣＰＵ２１は、番組固有情報により特定されるテレビ番組をＴＶ局１０３ｃから受信すると、ＨＤＤ２７にその番組を録画するように構成されている。そして、ＣＰＵ２１は、番組終了までＨＤＤ２７に録画を継続した後、ＨＤＤ２７の録画データ１２０を携帯端末１０に対して、通信回路２３を用いて送信するように構成されている。これにより、携帯端末１０ではＴＶ局１０３ａからの放送電波が受信できない場合にも、携帯基地局１０１との無線通信が可能であれば、インターネット１０２を介して録画データ１２０を受信することが可能となる。
【００４８】
ＴＶ受信回路２２は、選局、復調およびデコードなどを行うことにより、アンテナ２２ａにより受信した放送電波からテレビ番組の映像データ、音声データおよび番組情報（番組固有情報および放送局情報）などの各種データを取り出す機能を有する。受信したテレビ番組のデータは、ＣＰＵ２１に出力され、ＨＤＤ２７に録画される。
【００４９】
通信回路２３は、ＡＤＳＬ（非対称デジタル加入者線）方式や、光ファイバを用いるＦＴＴＨ（Ｆｉｂｅｒ  Ｔｏ  Ｔｈｅ  Ｈｏｍｅ）方式などを用いて、有線または無線によりインターネット１０２に接続されている。通信回路２３は、インターネット１０２および携帯基地局１０１を介して携帯端末１０とのデータの送受信を行うことが可能である。この通信回路２３を用いて、ＣＰＵ２１は、携帯端末１０からの録画コマンド１１０を取得するとともに、携帯端末１０へのテレビ番組の録画データ１２０を送信するように構成されている。
【００５０】
表示器駆動回路２４は、ＣＰＵ２１からの制御信号に基づき、画像および映像情報を表示装置２９に表示させる機能を有する。
【００５１】
ＲＡＭ２５は、ＣＰＵ２１による制御に伴い生成される一時データや、携帯端末１０から受信した録画コマンド１１０の番組情報（番組固有情報および放送局情報）などを書き換え可能に記憶する機能を有する。また、ＲＯＭ２６には、ＣＰＵ２１による各種の機能を実現させるためのプログラムなどが記憶されている。また、ＲＯＭ２６には、放送ネットワーク情報２６ａが格納されている。放送ネットワーク情報２６ａは、全国のＴＶ局の放送局名（呼出符号または略称）、チャンネル、所属する放送ネットワークおよびキー局の情報を含んでいる。
【００５２】
ＨＤＤ２７は、ＴＶ受信回路２２により受信されたテレビ番組のデータを録画することが可能である。録画データ１２０の送信時には、ＣＰＵ２１により録画データ１２０がＨＤＤ２７から読み出され、通信回路２３により携帯端末１０に送信される。
【００５３】
次に、図１〜図４を参照して、第１実施形態による放送視聴システム１００を用いたテレビ番組の視聴動作について説明する。なお、以下では、携帯端末１０がＴＶ局１０３ａからの放送電波を受信して、ユーザがテレビ番組を視聴している状態を前提として説明する。したがって、受信したテレビ番組を特定する番組固有情報と、受信したテレビ番組を放送するＴＶ局１０３ａを特定する放送局情報とを有する番組情報は、携帯端末１０のＣＰＵ１１により取得されている。
【００５４】
まず、図４に示すように、ステップＳ１において、テレビ番組の視聴中にＣＰＵ１１により、受信中の放送電波の電波強度（受信強度）が所定の閾値以下であるか否かが判断される。ＣＰＵ１１は、ＴＶ受信回路１２により検出される電波強度と、予め設定された所定の強度（閾値）とを比較する。電波強度が閾値よりも大きい場合には、ＣＰＵ１１により、このステップＳ１の判断が繰り返される。一方、電波強度が所定の閾値以下である場合には、ステップＳ２に進む。
【００５５】
ステップＳ２において、ＣＰＵ１１により、ＴＶ受信回路１２により検出される電波強度と予め設定された所定の強度（閾値）との比較を継続して、電波強度が所定の閾値以下の状態が所定の時間継続したか否かが判断される。所定時間の間に電波強度が閾値を超える場合には、ステップＳ１に戻り、テレビ番組の視聴を継続しつつ電波強度の比較が行われる。一方、電波強度が所定の閾値以下の状態が所定の時間継続した場合には、ステップＳ３に進む。
【００５６】
ステップＳ３では、図２に示すように、ＣＰＵ１１により、受信したテレビ番組を特定する番組固有情報（番組タイトル）と受信したテレビ番組を放送するＴＶ局１０３ａを特定する放送局情報（放送局名）とを有する番組情報を含む録画コマンド１１０が生成される。そして、生成された録画コマンド１１０が、ＣＰＵ１１により、通信回路１３を用いてインターネット１０２を介してサーバ２０に送信される。この後、携帯端末１０側では、サーバ２０からの録画データ１２０または後述する異常メッセージの送信を待ち受ける。
【００５７】
一方、サーバ２０は、携帯端末１０から録画コマンド１１０が送信されると、録画コマンド１１０に基づき、テレビ番組の録画処理および携帯端末１０への送信処理を開始する。まず、ステップＳ１１において、ＣＰＵ２１により、取得した録画コマンド１１０に基づいてＴＶ局１０３ｃおよびテレビ番組の検索が行われる。
【００５８】
具体的には、ＣＰＵ２１により、ＲＯＭ２６から放送ネットワーク情報２６ａが読み出される。そして、録画コマンド１１０に含まれる放送局情報から、ＴＶ局１０３ａが特定されると、放送ネットワーク情報２６ａに基づいて、ＴＶ局１０３ａのキー局１０４が検索される。そして、ＣＰＵ２１により、特定されたキー局１０４の放送ネットワークに属し、かつ、放送エリア内にサーバ２０（ＴＶ受信回路２２）が存在するＴＶ局１０３ｃ（ＴＶ局１０３ｃのチャンネル）が特定される。次に、ＣＰＵ２１により、ＴＶ局１０３ｃからの放送電波を受信して番組表が取得される。そして、録画コマンド１１０に含まれる番組固有情報に基づいて、ＣＰＵ２１により、ＴＶ局１０３ｃで放送される番組の中から、番組固有情報に対応するテレビ番組が検索される。なお、図１に示した例では、携帯端末１０が受信していたＴＶ局１０３ａと同一の放送ネットワークに属するＴＶ局１０３ｃが特定されるが、携帯端末１０とサーバ２０とが同一の放送エリア（たとえば、ＴＶ局１０３ｃの放送エリア）内に存在する場合には、当然同一のＴＶ局１０３ｃが特定される。また、キー局１０４の放送エリア内にサーバ２０が設置されていれば、系列局が検索されることなくキー局１０４が特定される。
【００５９】
ステップＳ１２では、ＣＰＵ２１により、放送局（ＴＶ局１０３ｃ）およびテレビ番組の検索の結果、録画コマンド１１０に含まれる番組固有情報に該当するテレビ番組の有無が判断される。ＴＶ局１０３ｃにより放送される番組の中から該当する番組が特定できた場合には、ステップＳ１３に進む。一方、携帯端末１０が受信していたＴＶ局１０３ａと同一の放送ネットワーク（キー局１０４の放送ネットワーク）に属するＴＶ局が存在しない場合、または、ＴＶ局１０３ｃで放送される番組の中に、番組固有情報に対応するテレビ番組が存在しない場合には、ステップＳ１６に進む。
【００６０】
次に、ステップＳ１３において、ＴＶ局１０３ｃにより放送される放送電波がＴＶ受信回路２２により受信され、テレビ番組（番組固有情報に対応するテレビ番組）がＣＰＵ２１に出力される。そして、ＣＰＵ２１によって、テレビ番組のデータ（録画データ１２０）がＨＤＤ２７に記憶されることにより、テレビ番組の録画が開始される。
【００６１】
ステップＳ１４では、ＣＰＵ２１により、録画中のテレビ番組の放送が終了したか否かが判断される。放送が終了していなければ、ステップＳ１３に戻り、録画が継続される。放送が終了した場合には、ステップＳ１５に進む。
【００６２】
ステップＳ１５では、ＣＰＵ２１によって、ＨＤＤ２７に録画されたテレビ番組の録画データ１２０が通信回路２３を用いて携帯端末１０に送信される。具体的には、まず、テレビ番組の放送終了に基づき、ＣＰＵ２１により録画が停止される。そして、ＣＰＵ２１により、ＨＤＤ２７から録画データ１２０が読み出され、通信回路２３を用いて録画データ１２０が送信される。送信された録画データ１２０は、インターネット１０２および携帯基地局１０１を経て、携帯端末１０の通信回路１３により受信される。これにより、録画コマンド１１０に基づく視聴中のテレビ番組の録画および送信処理が完了する。
【００６３】
また、ステップＳ１２において、該当するテレビ番組（該当するＴＶ局）が存在しないと判断された場合には、ステップＳ１６において、ＣＰＵ２１により、番組固有情報に対応するテレビ番組の送信を行うことができない旨の通知（異常メッセージ）が、携帯端末１０に対して送信される。この場合、テレビ番組の録画および送信を行うことなく、サーバ２０の録画コマンド１１０に対する処理が終了する。
【００６４】
サーバ２０から録画データ１２０または異常メッセージが送信されると、携帯端末１０の通信回路１３により、送信された録画データ１２０または異常メッセージが受信される。受信した録画データ１２０または異常メッセージは、ＣＰＵ１１により、フラッシュメモリ１７に記憶される。そして、ステップＳ４において、携帯端末１０のＣＰＵ１１により、録画データ１２０または異常メッセージを受信したか否かが判断される。録画データ１２０を受信した場合には、ステップＳ５に進み、ＣＰＵ１１により表示器駆動回路１４が制御されることにより、録画データ１２０の受信を完了した旨が表示器１４ａに表示される。これにより、携帯端末１０のユーザは、視聴中のテレビ番組を視聴できなくなった部分から継続して視聴することができるようになる。
【００６５】
一方、サーバ２０から異常メッセージを受信した場合には、ステップＳ６に進む。ステップＳ６では、異常メッセージを受信した旨が表示器１４ａに表示される。これにより、携帯端末１０のユーザは、視聴中のテレビ番組を録画することができないことを把握することができるので、ユーザ自身がＴＶ局１０３ａからの放送電波を良好に受信できる場所を探すなどの行動をとることができる。なお、上記のように、異常メッセージを受信する場合は、録画コマンドをサーバ２０が受信してからすぐにサーバ２０により該当番組なし（ステップＳ１２）という判断が行われて異常メッセージが携帯端末１０に送信されるので、録画コマンド１１０が送信された直後に携帯端末１０が異常メッセージを受信する。これに対して、録画データ１２０を受信する場合には、テレビ番組の放送終了後に録画データ１２０がサーバ２０から送信されるので、テレビ番組の放送が終了してから携帯端末１０側で録画データ１２０が受信される。
【００６６】
以上により、第１実施形態による放送視聴システム１００を用いたテレビ番組の視聴動作が終了する。
【００６７】
第１実施形態では、上記のように、携帯端末１０が、番組固有情報および放送局情報を有する番組情報を含む録画コマンド１１０をサーバ２０に送信し、サーバ２０が、録画コマンド１１０に含まれる放送局情報に基づいて、放送局情報により特定されるＴＶ局１０３ａと同一の放送ネットワークに属し、かつ、放送エリア内にＴＶ受信回路２２（サーバ２０）が存在するＴＶ局１０３ｃを検索するとともに、録画コマンド１１０に含まれる番組固有情報に基づいて、放送エリア内にＴＶ受信回路２２（サーバ２０）が存在するＴＶ局１０３ｃで放送される番組固有情報に対応するテレビ番組を検索する。このように構成することによって、ユーザがサーバ２０と異なる放送エリア（ＴＶ局１０３ａの放送エリア）にいる場合にも、放送局情報を有する番組情報を用いて、ユーザが視聴していたテレビ番組のＴＶ局１０３ａと同一の放送ネットワークに属し、かつ、サーバ２０によって受信可能なＴＶ局１０３ｃを容易かつ迅速に特定し、特定されたＴＶ局１０３ｃによって放送される番組の中から番組固有情報に対応するテレビ番組を番組固有情報により容易かつ迅速に特定することができる。これにより、ユーザがサーバ２０と異なる放送エリアにいる場合にも、容易かつ迅速に、ユーザが視聴していた番組（番組固有情報に対応するテレビ番組）をサーバ２０が特定して、視聴ができなくなった直後からそのテレビ番組の録画データ１２０をサーバ２０が取得して記憶することができる。これにより、ユーザがサーバ２０と異なる放送エリアにいる場合にも、テレビ番組の視聴ができなくなった時に、テレビ番組のユーザが視聴することができない部分を短縮することができる。また、ユーザが視聴していたテレビ番組のデータだけをサーバ２０が記憶すればよいので、サーバ２０のＨＤＤ２７の記憶容量を小さくすることができる。その結果、ＴＶ受信回路２２を複数設ける必要もないので、放送視聴システム１００の構成を簡素化することができる。
【００６８】
また、第１実施形態では、上記のように、ＣＰＵ２１を、携帯端末１０からの録画コマンド１１０に基づき、放送局情報により特定されるＴＶ局１０３ａと同一の放送ネットワークに属し、かつ、放送エリア内にＴＶ受信回路２２（サーバ２０）が存在するＴＶ局１０３ｃから、番組固有情報に対応するテレビ番組をＴＶ受信回路２２を用いて受信するとともに、番組固有情報に対応するテレビ番組をＨＤＤ２７に録画するように構成することによって、テレビ放送電波の受信強度が低下してユーザがテレビ番組を視聴できなくなった場合に、視聴していたテレビ番組の続きがサーバ２０に自動的に録画される。これにより、ユーザは、テレビ番組を視聴できなくなった場合にも、ＨＤＤ２７に録画された録画データ１２０により、視聴していたテレビ番組の見逃した部分を録画終了後に継続して視聴することができる。
【００６９】
また、第１実施形態では、上記のように、ＣＰＵ１１を、テレビ番組の受信中に放送電波の受信強度が所定の閾値以下になった場合に、録画コマンド１１０を、通信回路１３を用いてサーバ２０に対して送信するように構成することによって、テレビ番組の受信中に放送電波の受信強度が所定の閾値以下になった場合に、自動的に録画コマンド１１０をサーバ２０に送信することができる。これにより、テレビ放送電波の受信強度が低下してテレビ番組の視聴ができなくなった場合には、サーバ２０のＨＤＤ２７によりデータを録画することができる。そして、サーバ２０から番組の録画データ１２０を受信することにより、ユーザが特別な操作を行うことなくテレビ番組の視聴を継続することができる。
【００７０】
また、第１実施形態では、上記のように、ＣＰＵ１１を、入力キー１９を介して録画コマンド１１０の送信指示を受け付けると、携帯端末１０によるテレビ番組の視聴状況に関わらず、通信回路１３を用いて録画コマンド１１０をサーバ２０に対して送信するように構成することによって、テレビ番組の視聴ができなくなった場合だけでなく、テレビ番組の視聴はできるがユーザが後で再度テレビ番組を視聴したい場合などにも、入力キー１９を用いて録画コマンド１１０をサーバ２０に送信させることによって、ユーザが視聴していたテレビ番組をサーバ２０に録画させることができる。
【００７１】
また、第１実施形態では、上記のように、ＣＰＵ２１を、放送局情報により特定されるＴＶ局１０３ａと同一の放送ネットワークに属し、かつ、放送エリア内にＴＶ受信回路２２（サーバ２０）が存在するＴＶ局１０３ｃが存在しない場合、または、放送エリア内にＴＶ受信回路２２（サーバ２０）が存在するＴＶ局１０３ｃで放送される番組固有情報に対応するテレビ番組が存在しない場合には、通信回路２３を用いて携帯端末１０に異常メッセージを送信するように構成することによって、テレビ番組の視聴ができなくなった場合に、ユーザは、異常メッセージにより、サーバ２０から視聴していたテレビ番組を受信することができるか否かを把握することができる。これにより、異常メッセージを受けたユーザは、サーバ２０からテレビ番組を受信することができないことを把握することができるので、放送電波の受信可能な場所に移動するなどによりテレビ番組の視聴の継続を試みることもできる。
【００７２】
（第２実施形態）
次に、図５〜図１０を参照して、本発明の第２実施形態による放送視聴システム２００について説明する。この第２実施形態では、１つのサーバ２０のみを用いた上記第１実施形態と異なり、１つのメインサーバ２２０と、複数のサーバ２３０を備えた例について説明する。なお、メインサーバ２２０およびサーバ２３０は、それぞれ、本発明の「第１サーバ」および「第２サーバ」の一例である。
【００７３】
第２実施形態による放送視聴システム２００は、図５に示すように、携帯端末１０と、１つのメインサーバ２２０と、複数のサーバ２３０とを備えている。なお、図５では、複数のサーバ２３０として、サーバ２３０ａ（サーバ２）およびサーバ２３０ｂ（サーバＸ）のみを示し、他のサーバ２３０は省略している。メインサーバ２２０は、たとえば、携帯端末１０のユーザが自宅に所有するＰＣなどにより構成されている。サーバ２３０については、放送視聴システム２００を運営する事業者のＰＣまたは専用のサーバ装置や、携帯端末１０のユーザ以外の他のユーザのＰＣなどにより構成されていてよい。
【００７４】
第２実施形態では、メインサーバ２２０および複数のサーバ２３０が、異なるＴＶ局１０３の放送エリアにそれぞれ配置されている。すなわち、メインサーバ２２０は、ＴＶ局１０３ｃの放送エリア内に配置され、ＴＶ局１０３ｃの放送電波を受信することが可能である。サーバ２３０ｂは、ＴＶ局１０３ａおよびＴＶ局１０５の放送エリア内に配置され、ＴＶ局１０３ａおよびＴＶ局１０５の放送電波をそれぞれ受信することが可能である。また、サーバ２３０ａは、図示しない他のＴＶ局の放送電波を受信することが可能である。なお、ＴＶ局１０５は、キー局１０４の放送ネットワークには属さないＴＶ局である。
【００７５】
メインサーバ２２０は、図６に示すように、ＣＰＵ２１と、ＴＶ受信回路２２およびＴＶアンテナ２２ａと、通信回路２３と、表示器駆動回路２４と、ＲＡＭ２５と、ＲＯＭ２６と、ＨＤＤ２２７と、キーボード２８および表示装置２９とから構成されている。なお、上記第１実施形態のサーバ２０の各部と同一の構成を有する部分には、同一の符号を付した。
【００７６】
また、図７に示すように、サーバ２３０は、ＣＰＵ２３１と、ＴＶ受信回路２３２およびＴＶアンテナ２３２ａと、通信回路２３３と、表示器駆動回路２３４と、ＲＡＭ２３５と、ＲＯＭ２３６と、ＨＤＤ２３７と、キーボード２３８および表示装置２３９とから構成されている。各サーバ２３０（２３０ａ、２３０ｂ）の構成は、いずれも同一である。また、ＣＰＵ２３１は、本発明の「第３制御部」の一例である。また、ＴＶ受信回路２３２および通信回路２３３は、それぞれ、本発明の「第３受信部」および「第３通信部」の一例である。なお、サーバ２３０（２３０ａ、２３０ｂ）の各部の機能は、上記第１実施形態のサーバ２０の各部と同一であるので、説明を省略する。
【００７７】
第２実施形態では、図６に示すように、メインサーバ２２０のＨＤＤ２２７には、各サーバ２３０と放送エリア内に各サーバ２３０が存在する全てのＴＶ局とを対応付けたサーバリスト２２７ａが記憶されている。具体的には、サーバリスト２２７ａは、サーバ２３０ｂ（サーバＸ）と、放送エリア内にサーバ２３０ｂ（サーバＸ）が存在するＴＶ局１０３ａおよび１０５とを対応付けた情報を含んでいる。同様に、サーバ２３０ａ（サーバ２）と図示しないＴＶ局（放送エリア内にサーバ２３０ａが存在するＴＶ局）とを対応付けた情報を含んでいる。すなわち、サーバリスト２２７ａは、それぞれのサーバ２３０によって受信可能なＴＶ局の一覧情報を含んでいる。
【００７８】
第２実施形態では、メインサーバ２２０のＣＰＵ２１は、放送局情報により特定されるＴＶ局と同一の放送ネットワークに属し、かつ、放送エリア内にＴＶ受信回路２２（メインサーバ２２０）が存在するＴＶ局が存在しないか、または、放送エリア内にＴＶ受信回路２２（メインサーバ２２０）が存在するＴＶ局１０３ｃで放送される番組固有情報に対応するテレビ番組が存在しない場合に、ＨＤＤ２２７に記憶されたサーバリスト２２７ａに基づき、放送局情報により特定されるＴＶ局の放送エリア内に存在するサーバ２３０を検索するように構成されている。そして、ＣＰＵ２１は、通信回路２３を用いて、検索されたサーバ２３０ｂに対して録画コマンド１１０を転送するように構成されている。
【００７９】
具体的には、図５に示すように、たとえば放送局情報により特定されるＴＶ局がＴＶ局１０５であった場合、ＴＶ局１０５と同一の放送ネットワークに属し、かつ、放送エリア内にＴＶ受信回路２２（メインサーバ２２０）が存在するＴＶ局は存在しない。このため、ＣＰＵ２１は、サーバリスト２２７ａに基づいて、放送局情報により特定されるＴＶ局１０５の放送エリア内に存在するサーバ２３０ｂ（サーバＸ）を検索し、検索されたサーバ２３０ｂに対して録画コマンド１１０を転送する。また、たとえば放送局情報により特定されるＴＶ局がＴＶ局１０３ａであった場合でも、番組固有情報に対応する番組がＴＶ局１０３ａでのみ放送される番組（いわゆるローカル番組）であった場合には、同一の放送ネットワークに属するＴＶ局１０３ｃが存在しても、番組を受信することができない。このため、ＣＰＵ２１は、サーバリスト２２７ａに基づいて、放送局情報により特定されるＴＶ局１０３ａの放送エリア内に存在するサーバ２３０ｂ（サーバＸ）を検索し、検索されたサーバ２３０ｂに対して録画コマンド１１０を転送する。これにより、第２実施形態では、キー局を持たないＴＶ局１０５の番組や、特定のＴＶ局（たとえば、ＴＶ局１０３ａ）によってのみ放送される番組などのメインサーバ２２０では受信できない番組に対しても、録画コマンド１１０に基づいて携帯端末１０に録画データ１２０を送信することが可能である。なお、録画コマンド１１０が転送された後は、番組を受信可能なサーバ２３０（たとえば、サーバ２３０ｂ）によって番組が録画され、録画データ１２０が携帯端末１０に送信されるように構成されている。
【００８０】
なお、第２実施形態のその他の構成は、上記第１実施形態と同様である。
【００８１】
次に、図５および図８〜図１０を参照して、第２実施形態による放送視聴システム２００を用いたテレビ番組の視聴動作について説明する。
【００８２】
携帯端末１０側の処理動作は、第１実施形態と同様である。まず、図８に示すように、ステップＳ２１において、テレビ番組の視聴中にＣＰＵ１１により、受信中の放送電波の電波強度（受信強度）が所定の閾値以下であるか否かが判断される。電波強度が閾値よりも大きい場合には、このステップＳ２１が繰り返される。一方、電波強度が所定の閾値以下である場合には、ステップＳ２２に進む。
【００８３】
ステップＳ２２において、ＣＰＵ１１により、電波強度が所定の閾値以下の状態が所定の時間継続したか否かが判断される。所定時間の間に電波強度が閾値を超える場合には、ステップＳ２１に戻る。一方、電波強度が所定の閾値以下の状態が所定の時間継続した場合には、ステップＳ２３に進む。
【００８４】
ステップＳ２３では、図５に示すように、ＣＰＵ１１により、受信したテレビ番組を特定する番組固有情報（番組タイトル）と受信したテレビ番組を放送するＴＶ局（たとえば、ＴＶ局１０５）を特定する放送局情報（放送局名）とを有する番組情報を含む録画コマンド１１０が生成される。そして、生成された録画コマンド１１０が、ＣＰＵ１１により、メインサーバ２２０に送信される。この後、携帯端末１０側では、メインサーバ２２０またはサーバ２３０（２３０ａ、２３０ｂ）からの録画データ１２０または異常メッセージの送信を待ち受ける。
【００８５】
一方、図９に示すように、メインサーバ２２０は、携帯端末１０から録画コマンド１１０が送信されると、録画コマンド１１０に基づき、テレビ番組の録画処理および携帯端末１０への送信処理を開始する。まず、ステップＳ３１において、ＣＰＵ２１により、取得した録画コマンド１１０に基づいてＴＶ局およびテレビ番組の検索が行われる。
【００８６】
放送局情報によって特定されるＴＶ局がＴＶ局１０３ａである場合には、放送エリア内にメインサーバ２２０が存在するＴＶ局１０３ｃが存在する。ここで、番組固有情報によって特定されるテレビ番組が、ＴＶ局１０３ｃでも放送される場合には、ステップＳ３２で該当番組ありと判断される。この場合には、上記第１実施形態のステップＳ１３〜Ｓ１５と同様の処理が行われる。すなわち、ステップＳ３３で該当番組の録画が行われ、ステップＳ３４で該当番組の放送が終了したか否かが判断される。放送終了まで録画されると、ステップＳ３５でメインサーバ２２０から携帯端末１０に録画データ１２０が送信される。
【００８７】
一方、図５に示すように、放送局情報によって特定されるＴＶ局がＴＶ局１０５である場合、ＴＶ局１０５と同一の放送ネットワークに属し、かつ、放送エリア内にメインサーバ２２０（ＴＶ受信回路２２）が存在するＴＶ局が存在しない。このため、ステップＳ３２で該当番組なしと判断され、ステップＳ３６に進む。なお、放送局情報によって特定されるＴＶ局がＴＶ局１０３ａであっても、番組固有情報によって特定されるテレビ番組がＴＶ局１０３ａでのみ放送されるローカル番組（ＴＶ局１０３ｃでは放送されない番組）であった場合にも、ステップＳ３２で該当番組なしと判断され、ステップＳ３６に進む。
【００８８】
ステップＳ３６では、ＣＰＵ２１により、放送局情報により特定されたＴＶ局１０５の放送電波を受信可能なサーバ２３０が検索される。まず、ＨＤＤ２２７に記憶されたサーバリスト２２７ａがＣＰＵ２１によって読み出される。そして、サーバリスト２２７ａに基づいて、放送局情報により特定されるＴＶ局１０５の放送エリア内に存在するサーバ２３０ｂが検索される。
【００８９】
ステップＳ３７では、ＣＰＵ２１により、放送局情報により特定されるＴＶ局１０５の放送エリア内に存在するサーバ（サーバ２３０ｂ）の有無が判断される。サーバリスト２２７ａに基づく検索の結果、該当するサーバが存在しなかった場合には、ステップＳ３９に進み、ＣＰＵ２１により異常メッセージが携帯端末１０に対して送信される。一方、該当するサーバ２３０ｂが特定された場合には、ステップＳ３８に進み、メインサーバ２２０からサーバ２３０ｂ（サーバＸ）に対して、録画コマンド１１０が転送（図５参照）される。これにより、メインサーバ２２０の処理動作は終了する。
【００９０】
図１０に示すように、メインサーバ２２０からサーバ２３０ｂ（サーバＸ）に録画コマンド１１０は転送された場合には、番組情報によって特定されるテレビ番組の録画および送信が、サーバ２３０ｂ（サーバＸ）によって行われる。
【００９１】
まず、ステップＳ４１において、録画コマンド１１０に含まれる番組情報に基づいて、サーバ２３０ｂにより、ＴＶ局１０５で放送される番組の中から番組固有情報に対応するテレビ番組が特定される。なお、実際には、ユーザが携帯端末１０を用いてＴＶ局１０５のテレビ番組を視聴中（正確には、電波強度が閾値以下になり、視聴が中断された状態）の状態で録画コマンド１１０が送信される。このため、通常は、ＴＶ局１０５で現在放送中のテレビ番組が、番組固有情報に対応するテレビ番組である。
【００９２】
ステップＳ４２では、サーバ２３０ｂにより、録画コマンド１１０に含まれる番組情報（放送局情報および番組固有情報）に該当するテレビ番組の有無が判断される。ＴＶ局１０５により放送中のテレビ番組が特定できた場合には、ステップＳ４３に進む。一方、番組固有情報に対応するテレビ番組が存在しない場合には、ステップＳ４６に進む。ステップＳ４３以降の処理は、上記第１実施形態のステップＳ１３〜Ｓ１５と同様である。すなわち、ステップＳ４３で該当番組の録画が行われ、ステップＳ４４で該当番組の放送が終了したか否かが判断される。放送終了まで録画されると、ステップＳ４５でサーバ２３０ｂから携帯端末１０に録画データ１２０が送信される。これにより、サーバ２３０ｂ（サーバＸ）の処理は終了する。
【００９３】
その後、図８に示すように、メインサーバ２２０またはサーバ２３０（２３０ａ、２３０ｂ）から録画データ１２０または異常メッセージが送信されると、携帯端末１０の通信回路１３により、送信された録画データ１２０または異常メッセージが受信される。以降の携帯端末１０の処理も、上記第１実施形態のステップＳ４〜Ｓ６と同様である。すなわち、ステップＳ２４において、携帯端末１０のＣＰＵ１１により、録画データ１２０または異常メッセージを受信したか否かが判断される。録画データ１２０を受信した場合には、ステップＳ２５に進み、録画データ１２０の受信を完了した旨が表示器１４ａに表示される。一方、メインサーバ２２０またはサーバ２３０（２３０ａ、２３０ｂ）から異常メッセージを受信した場合には、ステップＳ２６に進み、異常メッセージを受信した旨が表示器１４ａに表示される。
【００９４】
以上により、第２実施形態による放送視聴システム２００を用いたテレビ番組の視聴動作が終了する。
【００９５】
第２実施形態では、上記のように、メインサーバ２２０のＣＰＵ２１を、放送局情報により特定されるＴＶ局と同一の放送ネットワークに属し、かつ、放送エリア内にＴＶ受信回路２２（メインサーバ２２０）が存在するＴＶ局が存在しない（放送局情報により特定されるＴＶ局がＴＶ局１０５の場合）場合、または、放送エリア内にＴＶ受信回路２２（メインサーバ２２０）が存在するＴＶ局で放送される番組固有情報に対応するテレビ番組が存在しない場合（番組固有情報に対応するテレビ番組がローカル番組の場合）に、サーバリスト２２７ａに基づき、放送局情報により特定されるＴＶ局（たとえば、ＴＶ局１０５）の放送エリア内に存在するサーバ２３０ｂを検索し、放送局情報により特定されるＴＶ局（ＴＶ局１０５）の放送エリア内に存在するサーバ２３０ｂに対して録画コマンド１１０を転送するように構成する。これにより、ユーザが視聴していたテレビ番組が、メインサーバ２２０の設置された放送エリアでは放送されない番組（いわゆる、ローカル番組）であった場合にも、放送局情報により特定されるＴＶ局（携帯端末１０が受信していた番組を放送するＴＶ局）の放送エリア内に存在するサーバ２３０ｂに対して録画コマンド１１０を転送することができる。これにより、メインサーバ２２０の設置されている放送エリアでは放送されない番組の視聴中に、テレビ番組の視聴ができなくなった場合にも、サーバ２３０からテレビ番組を受信して視聴することができる。
【００９６】
なお、第２実施形態のその他の効果は、上記第１実施形態と同様である。
【００９７】
（第３実施形態）
次に、図１および図１１を参照して、本発明の第３実施形態による放送視聴システムについて説明する。この第３実施形態では、サーバ２０によるテレビ番組の録画が完了してから録画データ１２０の送信を行った上記第１実施形態と異なり、サーバ２０がテレビ番組を一時的に録画しながらデータの送信を並行して行うストリーミング方式により、テレビ番組のデータを送信するように構成した例について説明する。なお、第３実施形態による放送視聴システムの具体的な装置構成は、サーバ２０のＣＰＵ２１の構成（ＲＯＭ２６に記憶されたプログラム）を除いて上記第１実施形態と同様であるので、同一の符号を用いて説明する。
【００９８】
第３実施形態では、サーバ２０のＣＰＵ２１は、携帯端末１０からの録画コマンド１１０に基づき、放送局情報により特定されるＴＶ局と同一の放送ネットワークに属し、かつ、放送エリア内にＴＶ受信回路２２（サーバ２０）が存在するＴＶ局から番組固有情報に対応するテレビ番組をＴＶ受信回路２２を用いて受信する。そして、ＣＰＵ２１は、ＲＡＭ２５に番組固有情報に対応するテレビ番組を一時的に録画しながら、並行して、録画済みの番組固有情報に対応するテレビ番組を通信回路２３を用いて携帯端末１０に送信するように構成されている。なお、この第３実施形態において、ＲＡＭ２５は、本発明の「一時記憶部」の一例である。
【００９９】
また、第３実施形態では、携帯端末１０のＣＰＵ１１は、サーバ２０に対して録画コマンド１１０を送信した後、番組固有情報に対応するテレビ番組を含むテレビ放送電波の受信強度が所定の閾値を超えた場合には、通信回路１３を用いてサーバ２０に対して録画停止命令を含む録画停止コマンドを送信するように構成されている。そして、サーバ２０のＣＰＵ２１は、録画停止コマンドに基づき、録画中の番組固有情報に対応するテレビ番組の録画を停止するように構成されている。
【０１００】
なお、第３実施形態のその他の構成は、上記第１実施形態と同様である。
【０１０１】
次に、図１１を参照して、第３実施形態による放送視聴システムを用いたテレビ番組の視聴動作について説明する。なお、以下では、携帯端末１０がＴＶ局１０３ａからの放送電波を受信して、ユーザがテレビ番組を視聴している状態を前提として説明する。したがって、受信したテレビ番組を特定する番組固有情報と、受信したテレビ番組を放送するＴＶ局１０３ａを特定する放送局情報とを有する番組情報は、携帯端末１０のＣＰＵ１１により取得されている。
【０１０２】
まず、図１１に示すように、ステップＳ５１において、テレビ番組の視聴中にＣＰＵ１１により、受信中の放送電波の電波強度（受信強度）が所定の閾値以下であるか否かが判断される。電波強度が閾値よりも大きい場合には、ＣＰＵ１１により、このステップＳ５１の判断が繰り返される。一方、電波強度が所定の閾値以下である場合には、ステップＳ５２に進む。
【０１０３】
ステップＳ５２において、ＣＰＵ１１により、電波強度が所定の閾値以下の状態が所定の時間継続したか否かが判断される。所定時間の間に電波強度が閾値を超える場合には、ステップＳ５１に戻る。一方、電波強度が所定の閾値以下の状態が所定の時間継続した場合には、ステップＳ５３に進む。
【０１０４】
ステップＳ５３では、図１に示すように、ＣＰＵ１１により、録画コマンド１１０が生成される。そして、生成された録画コマンド１１０が、ＣＰＵ１１により、通信回路１３を用いてサーバ２０に送信される。この後、携帯端末１０側では、サーバ２０からのストリーミングデータまたは異常メッセージの送信を待ち受ける。
【０１０５】
サーバ２０は、携帯端末１０から録画コマンド１１０が送信されると、録画コマンド１１０に基づき、テレビ番組の録画処理および携帯端末１０への送信処理を開始する。まず、ステップＳ７１において、ＣＰＵ２１により、取得した録画コマンド１１０に基づいてＴＶ局１０３ｃおよびテレビ番組の検索が行われる。
【０１０６】
ステップＳ７２では、ＣＰＵ２１により、放送局（ＴＶ局１０３ｃ）およびテレビ番組の検索の結果、録画コマンド１１０に含まれる番組情報（放送局情報および番組固有情報）に該当するテレビ番組の有無が判断される。ＴＶ局１０３ｃにより放送される番組の中から該当する番組が特定できた場合には、ステップＳ７３に進む。一方、携帯端末１０が受信していたＴＶ局１０３ａと同一の放送ネットワーク（キー局１０４の放送ネットワーク）に属するＴＶ局が存在しない場合、または、ＴＶ局１０３ｃで放送される番組の中に、番組固有情報に対応するテレビ番組が存在しない場合には、ステップＳ７７に進む。そして、ステップＳ７７で異常メッセージがサーバ２０から携帯端末１０に送信される。
【０１０７】
ステップＳ７３では、ＴＶ局１０３ｃにより放送される放送電波がＴＶ受信回路２２により受信され、テレビ番組（番組固有情報に対応するテレビ番組）がＣＰＵ２１に出力される。そして、ＣＰＵ２１によって、テレビ番組がＲＡＭ２５に一時的に録画されるとともにストリーミングデータが作成され、通信回路２３を用いて作成されたストリーミングデータが携帯端末１０に送信される。なお、送信済みのストリーミングデータは、ＲＡＭ２５から消去される。
【０１０８】
一方、携帯端末１０は、ステップＳ５４において、携帯端末１０のＣＰＵ１１により、通信回路１３により異常メッセージを受信していないかどうか判断される。異常メッセージを受信した場合には、ステップＳ６０で表示器１４ａに異常メッセージが表示される。異常メッセージを受信していなければ、サーバ２０からストリーミングデータが携帯端末１０に対して送信される。この場合には、ステップＳ５５に進み、ＣＰＵ１１により、サーバ２０からのストリーミングデータの受信と、ユーザによる番組の視聴とが同時に行われる。すなわち、通信回路１３を用いてストリーミングデータが受信されるとともに、表示器駆動回路１４および音声処理回路１８が制御されることにより、表示器１４ａへの映像出力とスピーカ１８ａへの音声出力が継続される。これにより、携帯端末１０のユーザは、視聴中のテレビ番組を視聴できなくなってから、ストリーミングを行うことによりリアルタイムでテレビ番組を視聴することができるようになる。
【０１０９】
その後、ステップＳ５６において、携帯端末１０のＣＰＵ１１により、再度、放送電波の電波強度（受信強度）が所定の閾値以下であるか否かが判断される。ストリーミングによる視聴中も電波強度が所定の閾値以下のままである場合には、ステップＳ５７に進み、そのままストリーミングが継続される。一方、録画コマンド１１０を送信してストリーミングを開始してから、電波強度が閾値よりも大きい状態（放送を受信可能な状態）に戻った場合には、ステップＳ５８に進む。
【０１１０】
ステップＳ５８では、ＣＰＵ１１により、録画停止命令を含む録画停止コマンドが作成され、通信回路１３を用いてサーバ２０に録画停止コマンドが送信される。そして、ＣＰＵ１１により、通信回路１３を用いたストリーミングによるテレビ番組の視聴から、ＴＶ受信回路１２を用いた放送電波の受信によるテレビ番組の視聴に変更される。これにより、ストリーミング中に電波強度が閾値よりも大きい状態に戻った場合には、通常の放送電波の受信によるテレビ番組の視聴を再開することが可能である。
【０１１１】
一方、サーバ２０側では、ステップＳ７４において、ＣＰＵ２１により、録画停止コマンドの有無が判断される。録画停止コマンドが携帯端末１０から送信されない場合には、ステップＳ７５に進み、ストリーミング中の番組の放送が終了したか否かが判断される。放送が終了していない場合には、ステップＳ７３に戻り、ストリーミングデータの送信が継続される。その後、番組が終了するか、録画停止コマンドが送信されるまで、ストリーミングデータの送信を継続する。また、ステップＳ７５において、番組が終了した場合には、ストリーミングデータの送信を完了して、終了する。
【０１１２】
また、ステップＳ７４で録画停止コマンドありと判断された場合には、ステップＳ７６に進む。そして、ステップＳ７６において、録画停止コマンドに基づき、ＣＰＵ２１により、受信したテレビ番組のＲＡＭ２５への一時的な録画と、携帯端末１０へのストリーミングデータの送信とが停止される。これにより、サーバ２０によるストリーミングデータの送信処理が終了する。なお、この場合には、上記の通り、携帯端末１０のＴＶ受信回路１２によりテレビ放送電波が受信されることにより、ユーザによる番組の視聴が継続される。
【０１１３】
以上により、第３実施形態による放送視聴システムを用いたテレビ番組の視聴動作が終了する。
【０１１４】
第３実施形態では、上記のように、サーバ２０のＣＰＵ２１を、携帯端末１０からの録画コマンド１１０に基づき、放送局情報により特定されるＴＶ局１０３ａと同一の放送ネットワークに属し、かつ、放送エリア内にＴＶ受信回路２２（サーバ２０）が存在するＴＶ局１０３ｃから番組固有情報に対応するテレビ番組をＴＶ受信回路２２を用いて受信して、ＲＡＭ２５に番組固有情報に対応するテレビ番組を一時的に録画しながら、並行して、ストリーミングデータを通信回路２３を用いて携帯端末１０に送信するように構成することによって、サーバ２０が録画コマンド１１０を受信すれば、ユーザが視聴していた番組を一時的に録画しながら、並行して、携帯端末１０に送信するストリーミング再生を行うことができる。これにより、ユーザは、テレビ番組を視聴できなくなった場合に、番組の放送終了まで待つことなくストリーミング再生によってそのまま番組の視聴を継続することができる。
【０１１５】
第３実施形態では、上記のように、ＣＰＵ１１を、サーバ２０に対して録画コマンド１１０を送信した後、テレビ放送電波の受信強度が所定の閾値を超えた場合には、通信回路１３を用いてサーバ２０に対して録画停止命令を含む録画停止コマンドを送信するように構成する。また、ＣＰＵ２１を、録画停止コマンドに基づき、ストリーミング中の番組固有情報に対応するテレビ番組の一時的な録画および送信を停止するように構成する。これにより、テレビ番組の視聴ができなくなってから、視聴可能な状態に復帰した場合に、ストリーミング中のサーバ２０に録画停止コマンドを送信することによって、テレビ番組の視聴できなかった部分のみをストリーミングさせることができる。
【０１１６】
なお、第３実施形態のその他の効果は、上記第１実施形態と同様である。
【０１１７】
（第４実施形態）
次に、図１および図１２を参照して、本発明の第４実施形態による放送視聴システムについて説明する。この第４実施形態では、上記第１実施形態に加えて、携帯端末１０により視聴していたテレビ番組の放送時刻よりも、サーバ２０により録画する番組固有情報に対応するテレビ番組の放送時刻が遅い場合に、サーバ２０が録画を予約するように構成した例について説明する。なお、第４実施形態による放送視聴システムの具体的な装置構成は、サーバ２０のＣＰＵ２１の構成（ＲＯＭ２６に記憶されたプログラム）を除いて上記第１実施形態と同様であるので、同一の符号を用いて説明する。
【０１１８】
第４実施形態では、サーバ２０のＣＰＵ２１は、放送局情報により特定されるＴＶ局１０３ａと同一の放送ネットワークに属し、かつ、放送エリア内にＴＶ受信回路２２（サーバ２０）が存在するＴＶ局１０３ｃによる番組固有情報に対応するテレビ番組の放送時刻が、放送局情報により特定されるＴＶ局１０３ａによって放送されるテレビ番組の放送時刻よりも遅い場合に、ＴＶ局１０３ｃにより放送される番組固有情報に対応するテレビ番組の録画を予約するように構成されている。ここで、図１に示すように、放送ネットワークを構成するキー局１０４および系列の全てのＴＶ局１０３ａ〜１０３ｃに共通で放送されるテレビ番組（いわゆる全国放送の番組）であっても、実際には各ＴＶ局毎に放送時刻が異なる場合がある。このような番組の場合には、携帯端末１０によって視聴中のテレビ番組（ＴＶ局１０３ａにより放送される番組）がサーバ２０によりＴＶ局１０３ｃから受信される場合には、より遅れた時刻で放送される場合がありうる。この場合にも、サーバ２０が録画予約を行うことにより、携帯端末１０に録画データ１２０を送信することが可能となる。
【０１１９】
また、ＣＰＵ２１は、設定した録画予約時間になると、ユーザの携帯端末１０に対して録画開始メッセージを送信することにより、ユーザが視聴していた番組の録画を開始する旨を通知するように構成されている。
【０１２０】
なお、第４実施形態のその他の構成は、上記第１実施形態と同様である。
【０１２１】
次に、図１２を参照して、第４実施形態による放送視聴システムを用いたテレビ番組の視聴動作について説明する。なお、以下では、携帯端末１０がＴＶ局１０３ａからの放送電波を受信して、ユーザがテレビ番組を視聴している状態を前提として説明する。したがって、受信したテレビ番組を特定する番組固有情報と、受信したテレビ番組を放送するＴＶ局１０３ａを特定する放送局情報とを有する番組情報は、携帯端末１０のＣＰＵ１１により取得されている。
【０１２２】
第４実施形態では、携帯端末１０側の処理については上記第１実施形態と同様であるので、説明を省略する。
【０１２３】
サーバ２０は、携帯端末１０から録画コマンド１１０が送信されると、録画コマンド１１０に基づき、テレビ番組の録画処理および携帯端末１０への送信処理を開始する。まず、ステップＳ８１において、ＣＰＵ２１により、取得した録画コマンド１１０に基づいてＴＶ局１０３ｃおよびテレビ番組の検索が行われる。
【０１２４】
ステップＳ８２では、ＣＰＵ２１により、放送局（ＴＶ局１０３ｃ）およびテレビ番組の検索の結果、録画コマンド１１０に含まれる番組情報（放送局情報および番組固有情報）に該当するテレビ番組の有無が判断される。ＴＶ局１０３ｃにより放送される番組の中から該当する番組が特定できた場合には、ステップＳ８３に進む。一方、携帯端末１０が受信していたＴＶ局１０３ａと同一の放送ネットワーク（キー局１０４の放送ネットワーク）に属するＴＶ局が存在しない場合、または、ＴＶ局１０３ｃで放送される番組の中に、番組固有情報に対応するテレビ番組が存在しない場合には、ステップＳ９０に進む。そして、ステップＳ９０で異常メッセージが携帯端末１０に送信される。
【０１２５】
ステップＳ８３では、番組固有情報に対応するテレビ番組について、ＴＶ局１０３ｃで放送される放送時刻が、ＴＶ局１０３ａにより現在放送中の番組固有情報により特定されるテレビ番組の放送時刻よりも遅いか否かがＣＰＵ２１により判断される。ＴＶ局１０３ｃで放送される放送時刻と、ＴＶ局１０３ａによる放送時刻とが一致する場合には、ステップＳ８７に進む。一方、ＴＶ局１０３ｃで放送される放送時刻が、ＴＶ局１０３ａによる放送時刻よりも遅い場合には、ステップＳ８４に進む。
【０１２６】
ステップＳ８４では、ＣＰＵ２１により、番組固有情報に対応するテレビ番組について録画予約が設定される。すなわち、ＣＰＵ２１により、録画を開始する時刻がＲＡＭ２５に記憶される。その後、ステップＳ８５において、ＣＰＵ２１により、設定した録画予約時間が到来したか否かが判断される。ＣＰＵ２１により、予約時間が来るまでこのステップＳ８５の判断が繰り返される。予約時間になると、ステップＳ８６に進む。
【０１２７】
ステップＳ８６では、ＣＰＵ２１により、録画コマンド１１０に基づき、テレビ番組の録画を開始する旨のメッセージが携帯端末１０に対して送信される。
【０１２８】
ステップＳ８７では、ＴＶ局１０３ｃにより放送される放送電波がＴＶ受信回路２２により受信され、テレビ番組（番組固有情報に対応するテレビ番組）のデータがＨＤＤ２７に記憶されることにより、テレビ番組の録画が開始される。そして、ステップＳ８８において、ＣＰＵ２１により、録画中のテレビ番組の放送が終了したか否かが判断される。放送が終了していなければ、ステップＳ８７に戻り、録画が継続される。放送が終了した場合には、ステップＳ８９に進む。
【０１２９】
ステップＳ８９では、ＣＰＵ２１によって、ＨＤＤ２７に録画されたテレビ番組の録画データ１２０が通信回路２３を用いて携帯端末１０に送信される。これにより、録画コマンド１１０に基づく視聴中のテレビ番組の録画（予約録画）および送信処理が完了する。
【０１３０】
以上により、第４実施形態による放送視聴システムを用いたテレビ番組の視聴動作が終了する。
【０１３１】
第４実施形態では、上記のように、サーバ２０のＣＰＵ２１を、放送局情報により特定されるＴＶ局１０３ａと同一の放送ネットワークに属し、かつ、放送エリア内にＴＶ受信部２２（サーバ２０）が存在するＴＶ局１０３ｃによる番組固有情報に対応するテレビ番組の放送時刻が、放送局情報により特定されるＴＶ局１０３ａによって放送される（携帯端末１０により視聴していた）テレビ番組の放送時刻よりも遅い場合に、放送局情報により特定されるＴＶ局１０３ａと同一の放送ネットワークに属し、かつ、放送エリア内にＴＶ受信部２２（サーバ２０）が存在するＴＶ局１０３ｃによる番組固有情報に対応するテレビ番組の録画を予約するように構成する。これにより、サーバ２０の存在する放送エリアでの番組の放送時刻が遅い場合にはＨＤＤ２７への録画を予約することによって、ユーザは、テレビ番組の視聴ができなくなった場合にも、見逃したテレビ番組を後から見直すことができる。
【０１３２】
なお、第４実施形態のその他の効果は、上記第１実施形態と同様である。
【０１３３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１３４】
たとえば、上記第１〜第４実施形態では、サーバ２０、メインサーバ２２０およびサーバ２３０（２３０ａ、２３０ｂ）を、ＰＣにより構成した例を示したが、本発明はこれに限らず、第１サーバおよび第２サーバを、ＰＣ以外のＨＤＤレコーダなどの録画装置や、録画機能を有するテレビ装置などにより構成してもよい。また、汎用のＰＣ以外の、専用のサーバ装置により構成してもよい。第１サーバおよび第２サーバとしては、ＴＶ放送電波の受信部と、インターネットとの通信部と、放送局および番組を検索する制御部とを有していればよい。
【０１３５】
また、上記第１〜第４実施形態では、携帯端末１０を、携帯電話端末により構成した例を示したが、本発明はこれに限らず、携帯通信端末を、携帯電話端末以外のＰＤＡ（携帯情報端末）や、携帯型ＴＶ受信機などにより構成してもよい。携帯通信端末は、ＴＶ放送電波の受信部およびインターネットとの通信部と、放送局情報、放送局情報を有する番組情報を含む録画コマンド１１０を作成可能な制御部とを有していればよい。
【０１３６】
また、上記第１〜第４実施形態では、携帯端末１０が、番組固有情報と放送局情報とを有する番組情報を含む録画コマンド１１０をサーバ２０に対して送信するように構成した例を示したが、本発明はこれに限らず、録画コマンドには、番組固有情報と放送局情報とを有する番組情報以外の情報を含めるように構成してもよい。たとえば、録画コマンドにテレビ番組の送信命令を含めるように構成してもよい。そして、録画コマンドに送信命令が含まれる場合には、サーバから携帯端末に録画データが送信されるように構成するとともに、録画コマンドに送信命令が含まれない場合には、携帯端末に録画データを送信することなくサーバがテレビ番組の録画のみを行うようにしてもよい。この場合には、ユーザは、録画終了後にすぐにテレビ番組を視聴したい場合には録画コマンドに送信命令を含め、後で視聴する場合には、送信命令を含めずに録画コマンドを送信することができる。
【０１３７】
また、上記第１および第２実施形態では、サーバ２０のＴＶ受信回路２２およびメインサーバ２２０のＴＶ受信回路２２を、サーバ２０（メインサーバ２２０）に内蔵のＴＶ受信回路として説明したが、本発明はこれに限らず、サーバのＴＶ受信回路は、サーバに内蔵されている必要はない。ＴＶ受信回路には、たとえばＰＣに接続可能な外部チューナー装置などを用いてもよい。
【０１３８】
また、上記第１および第２実施形態では、本発明の録画部をサーバ２０のＨＤＤ２７およびメインサーバ２２０のＨＤＤ２２７により構成した例を示したが、本発明はこれに限らず、第１サーバの録画部は、ＨＤＤ以外にも、フラッシュメモリにより構成してもよい。また、録画部を、ＨＤＤおよびフラッシュメモリ以外の他の不揮発性メモリにより構成してもよい。第２サーバも同様である。
【０１３９】
また、上記第３実施形態では、本発明の一時記憶部をサーバ２０のＲＡＭ２５により構成した例を示したが、本発明はこれに限らず、サーバ２０の一時記憶部を、ＲＡＭ２５ではなく、ＨＤＤ２７により構成してもよい。また、一時記憶部を、ＲＡＭおよびＨＤＤ以外のフラッシュメモリにより構成してもよい。また、一時記憶部は揮発性メモリおよび不揮発性メモリのいずれにより構成してもよい。
【０１４０】
また、上記第２実施形態では、本発明の第２サーバを複数のサーバ２３０（２３０ａ、２３０ｂ）によって構成した例を示したが、本発明はこれに限らず、第２サーバは、１つでもよい。ただし、第２サーバが多いほうが、より多くの放送エリアで放送電波を受信することができるので、より多くのローカル放送や放送ネットワークに属しないＴＶ局の放送を受信して携帯通信端末に送信することができる。
【０１４１】
また、上記第１実施形態では、サーバ２０のＲＯＭ２６に放送ネットワーク情報２６ａを記憶させた例を示し、上記第２実施形態では、メインサーバ２２０のＨＤＤ２２７にサーバリスト２２７ａを記憶させた例を示したが、本発明はこれに限らず、放送ネットワーク情報２６ａは、ＲＯＭに記憶されていなくてもよい。同様に、サーバリストも、ＨＤＤに記憶されている必要はない。放送ネットワーク情報２６ａおよびサーバリスト２２７ａは、いずれも、インターネットを介して外部の管理サーバから取得できるようにしてもよいし、ＨＤＤやフラッシュメモリなどの不揮発性メモリに記憶されていてもよい。
【０１４２】
また、上記第１実施形態では、０〜９までのテンキー、メニューキーやその他の機能キーなどを含む入力キー１９により、ＣＰＵ１１がユーザからの録画コマンド１１０の送信指示を受け付けることが可能なように構成した例を示したが、本発明はこれに限らず、入力キー１９により、録画コマンド１１０以外の録画停止コマンドもユーザが入力することができるように構成してもよい。また、入力キーは、ユーザが録画コマンド１１０の送信指示をサーバ２０に対して行うための専用のキーまたはボタンであってもよい。
【０１４３】
また、上記第１〜第４実施形態では、受信中の放送電波の電波強度が所定の閾値以下の状態が所定の時間継続した場合に、ＣＰＵ１１により録画コマンド１１０を送信するように構成した例を示したが、本発明はこれに限らず、受信中の放送電波の電波強度が所定の閾値以下の状態が所定の時間継続したか否かを判断することなく、電波強度が所定の閾値を下回ったらすぐに録画コマンド１１０を送信してもよい。この場合、サーバ側では、録画停止コマンドを受信しない限り、同じテレビ番組について２回以上録画コマンド１１０を受け付けないようにすればよい。
【０１４４】
また、上記第３実施形態では、サーバ２０からストリーミングデータが携帯端末１０に送信されると、送信されたストリーミングデータがＲＡＭ２５から消去されるように構成した例を示したが、本発明はこれに限らず、ストリーミングデータを携帯端末に送信した後、たとえばＨＤＤ２７に保存するように構成してもよい。また、一時記憶部を不揮発性メモリにより構成する場合には、そのままストリーミングデータを消去しないで記憶させておいてもよい。そして、記憶されたストリーミングデータは、ユーザによって手動で消去されるように構成してもよい。
【０１４５】
また、上記第３実施形態では、サーバ２０がテレビ番組を一時的に録画しながらデータの送信を並行して行うストリーミング方式によりテレビ番組のデータを送信するように構成した例を示したが、本発明はこれに限らず、携帯端末に対してストリーミング方式で送信するか、録画終了後に送信するかを携帯端末側またはサーバ側で切り替え可能に構成してもよい。たとえば、テレビ番組のデータをストリーミング方式で送信するか、または、録画終了後に送信するかを指定する情報を録画コマンドに含めるように構成してもよい。
【０１４６】
また、上記第４実施形態では、テレビ番組の録画予約が入力された場合に、予約時間になると録画を開始するように構成した例を示したが、本発明はこれに限らず、たとえば、携帯端末１０から送信される録画コマンド１１０に、放送が開始されてから放送電波を受信できなくなるまでの経過時間の情報を含めるとともに、この経過時間情報に基づいて、携帯端末１０により放送電波を受信できなくなったタイミングから録画がスタートするように構成してもよい。すなわち、放送局（ＴＶ局１０３ｃ）およびテレビ番組の検索の結果得られた番組の開始時刻に、放送が開始されてから携帯端末１０により放送電波を受信できなくなるまでの経過時間を加えた時間から、録画を行うように予約するように構成してもよい。この場合には、ユーザがすでに見た部分を録画しないで済むため、録画データ１２０のデータ量が増大するのを抑制することができるとともに、ユーザは、自分が番組のどの部分まで見ていたのかを探さなくてすむので、利便性が向上する。
【０１４７】
また、上記第４実施形態では、録画予約時間になると、ＣＰＵ２１により、テレビ番組の録画を開始する旨のメッセージが携帯端末１０に対して送信されるように構成した例を示したが、本発明はこれに限らず、たとえば、録画予約が終了した時点で、テレビ番組の録画が終了した旨のメッセージを送信するように構成してもよい。なお、番組を録画した後、録画データ１２０を送信する場合には、録画予約が終了した時点でメッセージを送信すれば、メッセージを受け取ったユーザがすぐ番組の録画データ１２０を受信できるので好ましい。一方、ストリーミングデータを送信する場合には、送信時（録画を開始するとき）にメッセージを送る必要がある。また、録画予約を行った時点で、録画予約を行った旨のメッセージを送信するように構成してもよい。
【符号の説明】
【０１４８】
１０  携帯端末（携帯通信端末）
１１  ＣＰＵ（第１制御部、制御部）
１２  ＴＶ受信回路（第１受信部、受信部）
１３  通信回路（第１通信部、通信部）
１９  入力キー
２０  サーバ（第１サーバ）
２１  ＣＰＵ（第２制御部）
２２  ＴＶ受信回路（第２受信部）
２３  通信回路（第２通信部）
２５  ＲＡＭ（一時記憶部）
２７  ＨＤＤ（録画部）
１００、２００  放送視聴システム（携帯通信端末の放送視聴システム）
１０３、１０３ａ、１０３ｂ、１０３ｃ、１０５  ＴＶ局（放送局）
１０４  キー局（放送局）
１１０  録画コマンド
２２０  メインサーバ（第１サーバ）
２３０、２３０ａ、２３０ｂ  サーバ（第２サーバ）
２３１  ＣＰＵ（第３制御部）
２３２  ＴＶ受信回路（第３受信部）
２３３  通信回路（第３通信部）
【図１】
2011009821.tif 000003
【図２】
2011009821.tif 000004
【図３】
2011009821.tif 000005
【図４】
2011009821.tif 000006
【図５】
2011009821.tif 000007
【図６】
2011009821.tif 000008
【図７】
2011009821.tif 000009
【図８】
2011009821.tif 000010
【図９】
2011009821.tif 000011
【図１０】
2011009821.tif 000012
【図１１】
2011009821.tif 000013
【図１２】
2011009821.tif 000014